(57)【特許請求の範囲】
【請求項１】
ロール媒体を仮置きする仮置き部と、
ロール媒体の幅方向に延設されたガイド部に案内されながら幅方向へ移動可能なロール媒体の芯口に嵌合する嵌合部を有し、ロール媒体を繰り出し可能に保持するロールホルダーと、
前記仮置き部に仮置きされたロール媒体の位置から該ロール媒体の芯口が前記嵌合部と対向する位置となるまで該ロール媒体を持ち上げる持ち上げ手段と、を備え、
前記嵌合部は、
第１のサイズのロール媒体の芯口に嵌合して該ロール媒体を支持する第１支持部と、
ロール媒体を基準とした前記第１支持部より前記幅方向外側に設けられ、前記第１のサイズより芯口が大きい第２のサイズのロール媒体の芯口に嵌合して該ロール媒体を支持する第２支持部と、
ロール媒体の軸方向に対して傾斜し、前記第１支持部と、前記第２支持部とを繋ぐ傾斜部と、を有し、
前記傾斜部は、前記第１支持部から前記第２支持部に向かってリブ状に延設されて構成されているロール媒体繰り出し装置。
【請求項２】
請求項１に記載のロール媒体繰り出し装置において、前記持ち上げ手段は、
ロール媒体が載る載置部を有し上下方向に昇降可能な昇降部と、
支点を中心にして回動可能な操作レバーと、
前記操作レバーの前記支点寄りの位置において、当該操作レバーの上下方向の回動を前記昇降部の上下動に変換して動力伝達するカム部と、を備え、
前記昇降部における前記載置部は、前記操作レバーの回動の軸方向から見て、置かれたロール媒体と接触する二つの辺を有しており、該二つの辺は、下方に進むに従って互いの距離が短くなるロール媒体繰り出し装置。
【請求項３】
請求項１または２に記載のロール媒体繰り出し装置において、前記嵌合部における前記第１支持部と前記第２支持部との間には段差が形成されているロール媒体繰り出し装置。
【請求項４】
ロール媒体を繰り出し可能な繰り出し手段と、
ロール媒体に対して記録する記録部と、を備えた記録装置であって、
前記繰り出し手段は、請求項１から３のいずれか１項に記載のロール媒体繰り出し装置を有していることを特徴とする記録装置。
【発明の詳細な説明】
【技術分野】
【０００１】
本発明は、ロール媒体の芯口に嵌合する嵌合部を有するロール媒体繰り出し装置および該ロール媒体繰り出し装置を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、ロール紙を繰り出す繰り出し装置を有していた。該繰り出し装置は、ロール紙の芯に嵌る軸を有しており、該軸によってロール紙を支持していた。
【先行技術文献】
【特許文献】
【０００３】
【特許文献１】特開２００９−２３１７１号公報
【発明の概要】
【発明が解決しようとする課題】
【０００４】
ところが、ロール紙の芯の芯口のサイズは一つではない。そこで、それぞれのサイズに応じるために先端に向かって階段状に段々と径が小さくなるように軸を形成することが考えられる。  
しかしながら、単に階段状に形成すると、比較的大きいサイズの芯口に前記軸をはめ込む際、前記軸の先端側の階段状の段差で引っ掛かり、スムーズにはめ込むことができない虞がある。
【０００５】
本発明は、このような状況に鑑み成されたものであり、その課題は、異なるサイズのロール媒体の芯口に対応可能な嵌合部を比較的大きいサイズのロール媒体の芯口にスムーズにはめ込むことを考慮したロール媒体繰り出し装置および該ロール媒体繰り出し装置を備えた記録装置を提供することである。
【課題を解決するための手段】
【０００６】
上記課題を達成するため、本発明の第１の態様のロール媒体繰り出し装置は、ロール媒体を仮置きする仮置き部と、ロール媒体の幅方向に延設されたガイド部に案内されながら幅方向へ移動可能なロール媒体の芯口に嵌合する嵌合部を有し、ロール媒体を繰り出し可能に保持するロールホルダーと、前記仮置き部に仮置きされたロール媒体の位置から該ロール媒体の芯口が前記嵌合部と対向する位置となるまで該ロール媒体を持ち上げる持ち上げ手段と、を備え、前記嵌合部は、第１のサイズのロール媒体の芯口に嵌合して該ロール媒体を支持する第１支持部と、ロール媒体を基準とした前記第１支持部より前記幅方向外側に設けられ、前記第１のサイズより芯口が大きい第２のサイズのロール媒体の芯口に嵌合して該ロール媒体を支持する第２支持部と、ロール媒体の軸方向に対して傾斜し、前記第１支持部と、前記第２支持部とを繋ぐ傾斜部と、を有することを特徴とする。
【０００７】
本態様によれば、第２のサイズのロール媒体の取り付けの際、前記傾斜部を有さない構成と比較して、容易に第２のサイズのロール媒体の芯口を第１支持部から第２支持部へ案内することができる。つまり、前記傾斜部によって、第２のサイズのロール媒体の芯口が第１支持部と第２支持部との間に通常形成されている段差に引っ掛かる虞がなく、スムーズに前記嵌合部を第２のサイズのロール媒体の芯口にはめ込むことができる。
【０００８】
本発明の第２の態様は、第１の態様において、前記持ち上げ手段は、ロール媒体が載る載置部を有し上下方向に昇降可能な昇降部と、支点を中心にして回動可能な操作レバーと、前記操作レバーの前記支点寄りの位置において、当該操作レバーの上下方向の回動を前記昇降部の上下動に変換して動力伝達するカム部と、を備え、前記昇降部における前記載置部は、前記操作レバーの回動の軸方向から見て、置かれたロール媒体と接触する二つの辺を有しており、該二つの辺は、下方に進むに従って互いの距離が短くなることを特徴とする。
【０００９】
本態様によれば、第１の態様と同様の作用効果に加え、前記持ち上げ手段によって上下方向におけるロール媒体の位置を、ロール媒体の芯口と、前記ロールホルダーの前記嵌合部とを対向させる位置とすることができるが、軸方向から見た左右方向においては、きちんと対向せずにずれる虞がある。係る場合に、前記傾斜部を有する構成は特に有効である。
【００１０】
本発明の第３の態様は、第１または第２の態様において、前記嵌合部における前記第１支持部と前記第２支持部との間には段差が形成されていることを特徴とする。  
本態様によれば、第１または第２の態様と同様の作用効果に加え、前記段差が形成されている場合、第２のサイズのロール媒体の取り付けの際にロール媒体の芯口が引っ掛かる虞があるので、係る場合に、前記傾斜部を有する構成は特に有効である。
【００１１】
本発明の第４の態様の記録装置は、ロール媒体を繰り出し可能な繰り出し手段と、ロール媒体に対して記録する記録部と、を備えた記録装置であって、前記繰り出し手段は、上記第１から第３のいずれか一の態様のロール媒体繰り出し装置を有していることを特徴とする。  
本態様によれば、前記繰り出し手段は、上記第１から第３のいずれか一の態様のロール媒体繰り出し装置を有している。従って、前記記録装置において、上記第１から第３のいずれか一の態様と同様の作用効果を得ることができる。
【図面の簡単な説明】
【００１２】
【図１】本実施例のプリンターの全体構成の概略を示す側断面図。
【図２】本実施例のプリンターの全体構成の概略を示す正面図。
【図３】本実施例の媒体繰り出し手段のロール媒体ホルダー装置を示す斜視図。
【図４】（Ａ）（Ｂ）は本実施例の嵌合部を示す斜視図および正面図。
【図５】（Ａ）（Ｂ）は本実施例の嵌合部とロール媒体のサイズとの関係を示す正面図。
【図６】本実施例の持ち上げ手段の内部を示す側断面図。
【図７】本実施例のロール媒体持ち上げ前のホルダー装置を示す正面図。
【図８】本実施例のロール媒体持ち上げた時のホルダー装置を示す正面図。
【図９】本実施例の第１ホルダー部を摺動させた際の状態を示す正面図。
【図１０】（Ａ）（Ｂ）は本実施例の嵌合部がロール媒体の芯口に嵌る様子を示す平面図。
【図１１】本実施例の第１ホルダー部へのロール媒体の取り付けが完了した状態を示す正面図。
【発明を実施するための形態】
【００１３】
以下、本発明の実施の形態を図面に基づいて説明する。  
図１に示すのは、本実施例の記録装置としての大型のインクジェットプリンター１（以下、単にプリンターという。）の全体構成の概略を示す側断面図である。  
図１に示す如く、プリンター１は、媒体繰り出し手段２６と、記録部２８と、巻き取り手段３７と、を備えている。このうち、媒体繰り出し手段２６は、ロール状に巻かれたロール媒体Ｒを解いて送り方向Ｑへ送り出すことができる。具体的には、送り出し側ロールホルダーである第１ホルダー部３と、ローラー対２９と、を有している。
【００１４】
このうち、第１ホルダー部３は、ロール媒体Ｒの両端部を回動可能に保持することができる。第１ホルダー部３は、ロール媒体Ｒのロール芯１１の芯口１２に嵌る嵌合部１３を有している。嵌合部１３は、回動自在な構成でも、図示しないモーターの動力によって駆動する構成でもよい。回動自在な構成の場合は、送り方向下流側の駆動するローラー対２９によってロール媒体Ｒが引っ張られて解かれるからである。
【００１５】
また、嵌合部１３が前記モーターの動力によって駆動する場合、媒体繰り出し手段２６はローラー対２９を有していない構成でもよい。  
尚、第１ホルダー部３は、向い合わせで一対配設されている。そして、このうち少なくとも一方の第１ホルダー部３が、ロール媒体Ｒの幅寸法の違いに対応してガイド部材７に対して幅方向Ｘにスライドし取付け位置を調整できる。
【００１６】
また、第１ホルダー部３の下方には、仮置き部としての仮置き台５と、持ち上げ手段２とが設けられている。仮置き台５は、ロール媒体Ｒを第１ホルダー部３に取り付ける前に仮に置くための台である。一例として、持ち上げ手段２の後述する昇降部１６の載置部２２によって構成されている。仮置き台５を持ち上げ手段２と別に構成してもよいのは勿論である。また、持ち上げ手段２は、仮置き台５に置かれた重たいロール媒体Ｒを容易に上方に持ち上げ、ロール媒体Ｒの端部を容易に第１ホルダー部３に取り付けることができる。
【００１７】
具体的に、持ち上げ手段２は、ガイド部材７としての二本の第１管部材７ａ、第２管部材７ｂに対して幅方向Ｘに摺動可能な基体部８と、操作レバー６と、昇降部１６と、を備えている。そして、操作レバー６を一方向へ回動させることにより、昇降部１６は上昇し、ロール媒体Ｒを持ち上げることができる。一方、操作レバー６を反対方向へ回動させることにより、昇降部１６は下降し、ロール媒体Ｒを下ろすことができる。つまり、操作レバー６のレバー比の大きさを利用して比較的小さい力で、比較的重いロール媒体Ｒを上げ下げすることができる。
【００１８】
また、記録部２８は、プリンター本体１９を有している。プリンター本体１９には、幅方向Ｘに延設されたキャリッジガイド軸２１と、キャリッジ２３と、記録ヘッド２５と、媒体支持部２７とが設けられている。キャリッジ２３は、キャリッジガイド軸２１にガイドされながら幅方向Ｘへ移動可能に設けられている。また、記録ヘッド２５は、キャリッジ２３における媒体支持部２７と対向する位置に設けられ、インクをロール媒体Ｒに対して吐出して記録することができる。またさらに、媒体支持部２７は、ロール媒体Ｒを支持し、ロール媒体Ｒと記録ヘッド２５との間の距離を所定の距離にすることができる。
【００１９】
尚、ローラー対２９は、プリンター本体１９の内部に設けたが、外部でもよい。ロール媒体Ｒを送り方向Ｑへ送ることができればよいからである。  
また、プリンター本体１９より送り方向上流側にはプレヒーター３１が設けられている。ロール媒体Ｒに対して記録を実行する前の段階で予めロール媒体Ｒを温めることにより、記録を実行した際、ロール媒体Ｒに着弾したインクが乾燥しやすくするためである。  
またさらに、プリンター本体１９より送り方向下流側にはアフターヒーター３３が設けられている。ロール媒体Ｒに着弾したインクを、記録を実行した後から巻き取り手段３７によって巻かれる前までの間に、確実に乾燥させるためである。
【００２０】
またさらに、巻き取り手段３７は、図示しないモーターの動力によってロール媒体Ｒを巻き取ることができる。具体的には、ガイド部材３９としての二本の第３管部材３９ａ、第４管部材３９ｂに取り付けられた巻き取り側ロールホルダーとしての第２ホルダー部４０を有している。そして、第２ホルダー部４０に巻き取ったロール媒体Ｒを保持することができる。
【００２１】
尚、プリンター１は、下端部に移動用のキャスター１５を有する側面視逆Ｔ字形の支持フレーム１７を対向するように左右両端部に備えている。そして、支持フレーム１７の上部にプリンター本体１９が設けられている。また、支持フレーム１７に取り付けられたサブフレーム３５に、ガイド部材７が取り付けられている。またさらに、第３管部材３９ａ、第４管部材３９ｂの両端は、支持フレーム１７から延びた保持部２４によって保持されている。  
また、図中のＺ軸方向は、鉛直方向である。
【００２２】
図２に示すのは、本実施例のプリンター１の全体構成の概略を示す正面図である。  
図２に示す如く、プリンター１の支持フレーム１７を基準とした前側には、第１ホルダー部３が設けられ、後側には、第２ホルダー部４０が設けられている。第１ホルダー部３は、前述したように、サブフレーム３５によって両端が保持されたガイド部材７としての第１管部材７ａ、第２管部材７ｂに対して、スライド可能に設けられている。同様に、第２ホルダー部４０は、保持部２４によって両端が保持されたガイド部材３９としての第３管部材３９ａ、第４管部材３９ｂに対して、スライド可能に設けられている。
【００２３】
ここで、第２ホルダー部４０の第３管部材３９ａ、第４管部材３９ｂに対する固定の仕方は、第１ホルダー部３の第１管部材７ａ、第２管部材７ｂに対する固定の仕方と同様である。以下、第１ホルダー部３を第１管部材７ａ、第２管部材７ｂに対して固定する構造について説明するものとし、第２ホルダー部４０を第３管部材３９ａ、第４管部材３９ｂに対して固定する構造についての説明は省略する。
【００２４】
図３に示すのは、本実施例の媒体繰り出し手段２６におけるロール媒体ホルダー装置５１を示す斜視図である。  
図３に示す如く、媒体繰り出し手段２６は、ロール媒体ホルダー装置５１を備えている。ロール媒体ホルダー装置５１は、ガイド部材７（ガイド部）として二本の第１管部材７ａ、第２管部材７ｂと、嵌合部１３を有した第１ホルダー部３と、持ち上げ手段２とを備えている。
【００２５】
そして、つまみ付きのねじ（図示せず）のつまみ部３６を、ねじを緩める方向へ回転させることにより、第１ホルダー部３を第１管部材７ａ、第２管部材７ｂに対して摺動させることができる。具体的には、第１ホルダー部３の下方に設けられたベース部４が第１管部材７ａ、第２管部材７ｂに対して摺動する。一方、ねじを締める方向へ回転させることにより、第１ホルダー部３を第１管部材７ａ、第２管部材７ｂに対して固定することができる。従って、ロール媒体Ｒの幅サイズに応じて一対の第１ホルダー部３の位置を調整することができる。
【００２６】
尚、持ち上げ手段２は、一対の第１ホルダー部３の間において、第１管部材７ａ、第２管部材７ｂに対して摺動可能に設けられている。持ち上げ手段２については、第１管部材７ａ、第２管部材７ｂに対して摺動可能な状態と固定した状態とを切り替え可能に構成する必要はない。ロール媒体Ｒのサイズに応じてロール媒体Ｒの側端近傍の下方へ摺動させ、ロール媒体Ｒの側端を持ち上げることができればよいからである。
【００２７】
図４（Ａ）（Ｂ）に示すのは、本実施例の嵌合部１３を示す斜視図および正面図である。このうち、図４（Ａ）は斜視図である。一方、図４（Ｂ）は正面図である。  
また、図５（Ａ）（Ｂ）に示すのは、本実施例の嵌合部１３とロール媒体Ｒのサイズとの関係を示す正面図である。このうち、図５（Ａ）は嵌合部１３の第１支持部１３ａと第１のサイズのロール媒体Ｒ１との関係である。一方、図５（Ｂ）は嵌合部１３の第２支持部１３ｂと第２のサイズのロール媒体Ｒ２との関係である。
【００２８】
図４（Ａ）（Ｂ）および図５（Ａ）（Ｂ）に示す如く、本実施例の嵌合部１３は、第１支持部１３ａと、第２支持部１３ｂと、傾斜部１３ｃと、段差１３ｄとを有している。このうち、第１支持部１３ａは、第１のサイズのロール媒体Ｒ１のロール芯１１ａの芯口１２ａに嵌り、第１のサイズのロール媒体Ｒ１を支持する。一方、第２支持部１３ｂは、第１のサイズより芯口が大きい第２のサイズのロール媒体Ｒ２のロール芯１１ｂの芯口１２ｂに嵌り、第２のサイズのロール媒体Ｒ２を支持する。
【００２９】
尚、第１支持部１３ａおよび第２支持部１３ｂは、嵌合部１３の先端側（ロール媒体Ｒ側）へ向かって徐々に細くなるように幅方向Ｘに対して若干傾いている。つまり、円錐の外周面のように若干傾斜している。また、本実施例では、第１支持部１３ａおよび第２支持部１３ｂは、リブ状に形成されているが、リブ状でなくてもよい。リブ状に形成した理由は、芯口１２に嵌ったときの安定性を増すためである。  
また、第１支持部１３ａと第２支持部１３ｂとの間には段差１３ｄが形成されている。そして、第１支持部１３ａと第２支持部１３ｂとを繋ぐように傾斜部１３ｃが形成されている。  
尚、傾斜部１３ｃの作用効果については後述するものとする。
【００３０】
続いて、持ち上げ手段２の内部構造について説明する。  
図６に示すのは、本実施例の持ち上げ手段２の内部を示す側断面図である。  
図６に示す如く、持ち上げ手段２は、操作レバー６と、基体部８と、昇降部１６と、を備えている。このうち、操作レバー６には、穴部９と、カム部１０とが設けられている。穴部９には、第２管部材７ｂが挿通されており、操作レバー６は、第２管部材７ｂを中心に回動する。また、基体部８には、第１管部材７ａおよび第２管部材７ｂが挿通されている。またさらに、昇降部１６は、基体部８の内側に組み込まれており、基体部８によって鉛直方向Ｚに案内される。
【００３１】
また、昇降部１６の上方には、仮置き台５としてロール媒体Ｒが載置される載置部２２が設けられている。  
さらに、昇降部１６の下方には、カムフォロア部１８が設けられている。そして、カムフォロア部１８は、操作レバー６のカム部１０と接触している。また、昇降部１６の載置部２２の近傍と、基体部８との間には、カバー部材２０が配設されている。カバー部材２０は、昇降部１６が上昇したとき、昇降部１６と基体部８との隙間を覆うために設けられている。
【００３２】
また、載置部２２は、第１管部材７ａおよび第２管部材７ｂの軸方向（Ｘ）から見て、中央に対して両側が高く形成されている。言い換えると、ロール媒体Ｒと接触する上側の二つの辺２２ａ、２２ｂがＶ字状に見えるように、載置部２２の上面が形成されている。これにより、ロール媒体Ｒを載置したとき、ロール媒体Ｒが転がらないようにして、ロール媒体Ｒの位置を安定させることができる。技術的思想としては、Ｖ字状でなくても、軸方向（Ｘ）から見て、上側の二つの辺２２ａ、２２ｂが、下方に進むに従って互いの距離が短くなるように設けられ、該二つの辺２２ａ、２２ｂがロール媒体Ｒの外周面と接触する構成であればよい。
【００３３】
続いて、持ち上げ手段２を使用して、第２のサイズのロール媒体Ｒ２の芯口１２ｂに嵌合部１３の第２支持部１３ｂを嵌める動作について説明する。  
図７に示すのは、本実施例の第２のサイズのロール媒体Ｒ２を持ち上げる前のロール媒体ホルダー装置５１を示す正面図である。尚、図７に示すのは、一対のうちの一方の第１ホルダー部３である。他方の第１ホルダー部（３）も同様であるので、一方のみについて説明することとし、他方についての説明は省略する。
【００３４】
図８に示すのは、本実施例の第２のサイズのロール媒体Ｒ２を持ち上げた時のロール媒体ホルダー装置５１を示す正面図である。尚、図８に示すのは、一対のうちの一方の第１ホルダー部３である。  
図８に示す如く、一対の第１ホルダー部３のうちの前記一方側の持ち上げ手段２によってロール媒体Ｒ２を持ち上げる。そして、前記一端側の第１ホルダー部３の嵌合部１３の高さと、ロール媒体Ｒ２の前記一端側のロール芯１１ｂの芯口１２ｂの高さとが同じとなるようにする。
【００３５】
図９に示すのは、本実施例のロール媒体ホルダー装置５１を摺動させた際の状態を示す正面図である。  
また、図１０（Ａ）（Ｂ）に示すのは、本実施例の嵌合部１３がロール媒体Ｒ２の芯口１２に嵌る様子を示す平面図である。このうち、図１０（Ａ）は傾斜部１３ｃが第２のサイズのロール媒体Ｒ２の芯口１２ｂと接触した状態である。一方、図１０（Ｂ）は第２支持部１３ｂが第２のサイズのロール媒体Ｒ２の芯口１２ｂと接触した状態である。  
またさらに、図１１に示すのは、第１ホルダー部３への第２のサイズのロール媒体Ｒ２の取り付けが完了した状態を示す正面図である。  
尚、図９〜図１１に示すのは、一対のうちの一方の第１ホルダー部３である。
【００３６】
図９に示す如く、前記一端側の第１ホルダー部３の嵌合部１３の高さと、ロール媒体Ｒ２の前記一端側のロール芯１１ｂの芯口１２ｂの高さとを同じにしたら、前記一端側の第１ホルダー部３をロール媒体Ｒ側へ摺動させる。そして、ロール芯１１ｂの芯口１２ｂに前記一方の第１ホルダー部３の嵌合部１３をはめ込む。  
この際、図１０（Ａ）に示す如く、鉛直方向Ｚおよび幅方向Ｘと直交するＹ軸方向において、嵌合部１３の中心と、ロール媒体Ｒ２の芯口１２ｂの中心とがずれている場合がある。係る場合、芯口１２ｂと第１支持部１３ａまたは傾斜部１３ｃとが接触する。
【００３７】
そして、図１０（Ｂ）に示す如く、嵌合部１３が芯口１２ｂに進入することに従って傾斜部１３ｃが芯口１２ｂと接触し、Ｙ軸方向におけるロール媒体Ｒ２の芯口１２ｂの中心と、嵌合部１３の中心との相対的な位置関係を合わせるように作用する。つまり、傾斜部１３ｃに案内されてロール媒体Ｒ２が載置部２２に載置された状態でＹ軸方向へ移動する。そして、第２支持部１３ｂが芯口１２ｂと接触し、第２支持部１３ｂが芯口１２ｂに嵌る。
【００３８】
さらに、ユーザーが所定の大きさの力で第１ホルダー部３をロール媒体Ｒ側へ押して、嵌合部１３の第２支持部１３ｂがロール媒体Ｒ２のロール芯１１ｂの芯口１２ｂにぴったりとはめ込まれる。  
そして、前述したようにつまみ部３６を回転させて第１管部材７ａ、第２管部材７ｂに対して前記一方の第１ホルダー部３を固定する。
【００３９】
その後、図１１に示す如く、持ち上げ手段２の操作レバー６を下げて、昇降部１６を下げる。  
尚、二人で協働して一対の第１ホルダー部３の嵌合部１３をロール媒体Ｒの両側の芯口１２に略同じタイミングではめ込んでもよいのは勿論である。また、一人で片側ずつ嵌合部１３を芯口１２にはめ込んでもよい。
【００４０】
以上説明したように、嵌合部１３には傾斜部１３ｃが設けられているので、第２のサイズのロール媒体Ｒ２の芯口１２ｂに嵌合部１３をスムーズにはめ込むことができる。  
尚、本実施例では、図１１に示す如く、傾斜部１３ｃを直線に形成したが、曲線でもよい。技術的思想としては、ロール媒体Ｒ２の芯口１２ｂを第１支持部１３ａから第２支持部１３ｂへ案内することができればよいからである。
【００４１】
また、ロール媒体Ｒを第１ホルダー部３から取り外す際は、第１ホルダー部３を幅方向外側へ摺動させ、嵌合部１３をロール芯１１ｂの芯口１２ｂから引き抜く。この際、持ち上げ手段２によってロール媒体Ｒ２を支えながら前記引き抜くと、嵌合部１３とロール芯１１ｂとの間の摩擦力を低減させることができるので、引き抜きやすくなる。  
また、上記実施例では、嵌合部１３の第１支持部１３ａと第２支持部１３ｂとの間に段差１３ｄが形成されているが、形成されていない形状でもよい。例えば、周方向全範囲に傾斜部１３ｃを形成することにより、段差１３ｄが形成されない形状としてもよい。
【００４２】
本実施例のロール媒体繰り出し装置である媒体繰り出し手段２６は、ロール媒体Ｒを仮置きする仮置き部としての仮置き台５と、ロール媒体Ｒの幅方向Ｘに延設されたガイド部であるガイド部材７に案内されながら幅方向Ｘへ移動可能なロール媒体Ｒの芯口１２に嵌合する嵌合部１３を有し、ロール媒体Ｒを繰り出し可能に保持するロールホルダーとしての第１ホルダー部３と、仮置き台５に仮置きされたロール媒体Ｒの位置からロール媒体Ｒの芯口１２が嵌合部１３と対向する位置となるまでロール媒体Ｒを持ち上げる持ち上げ手段２と、を備え、嵌合部１３は、第１のサイズのロール媒体Ｒ１の芯口１２ａに嵌合してロール媒体Ｒ１を支持する第１支持部１３ａと、ロール媒体Ｒを基準とした第１支持部１３ａより前記幅方向外側に設けられ、第１のサイズより芯口が大きい第２のサイズのロール媒体Ｒ２の芯口１２ｂに嵌合してロール媒体Ｒ２を支持する第２支持部１３ｂと、ロール媒体Ｒの軸方向に対して傾斜し、第１支持部１３ａと、第２支持部１３ｂとを繋ぐ傾斜部１３ｃと、を有することを特徴とする。
【００４３】
また、本実施例において、持ち上げ手段２は、ロール媒体Ｒが載る載置部２２を有し上下方向に昇降可能な昇降部１６と、支点を中心にして回動可能な操作レバー６と、操作レバー６の前記支点寄りの位置において、操作レバー６の上下方向の回動を昇降部１６の上下動に変換して動力伝達するカム部１０と、を備え、昇降部１６における載置部２２は、操作レバー６の回動の軸方向から見て、置かれたロール媒体Ｒと接触する二つの辺２２ａ、２２ｂを有しており、該二つの辺２２ａ、２２ｂは、下方に進むに従って互いの距離が短くなることを特徴とする。
【００４４】
またさらに、本実施例において、嵌合部１３における第１支持部１３ａと第２支持部１３ｂとの間には段差１３ｄが形成されていることを特徴とする。  
本実施例の記録装置としてのプリンター１は、ロール媒体Ｒを繰り出し可能な繰り出し手段と、ロール媒体Ｒに対して記録する記録部２８と、を備えていることを特徴とする。
【００４５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４６】
１  プリンター、２  持ち上げ手段、３  第１ホルダー部（ロールホルダー）、
４  ベース部、５  仮置き台（仮置き部）、６  操作レバー、７  ガイド部材、
７ａ  第１管部材、７ｂ  第２管部材、８  基体部、９  穴部、１０  カム部、
１１  ロール芯、１１ａ  第１のサイズのロール芯、１１ｂ  第２のサイズのロール芯、
１２  芯口、１２ａ  第１のサイズの芯口、１２ｂ  第２のサイズの芯口、
１３  嵌合部、１３ａ  第１支持部、１３ｂ  第２支持部、１３ｃ  傾斜部、
１３ｄ  段差、１５  キャスター、１６  昇降部、１７  支持フレーム、
１８  カムフォロア部、１９  プリンター本体、２０  カバー部材、
２１  キャリッジガイド軸、２２  載置部、２２ａ  辺、２２ｂ  辺、
２３  キャリッジ、２４  保持部、２５  記録ヘッド、２６  媒体繰り出し手段、
２７  媒体支持部、２８  記録部、２９  ローラー対、３１  プレヒーター、
３３  アフターヒーター、３５  サブフレーム、３６  つまみ部、３７  巻き取り手段、
３９  ガイド部材、３９ａ  第３管部材、３９ｂ  第４管部材、４０  第２ホルダー部、
５１  ロール媒体ホルダー装置、Ｑ  送り方向、Ｒ  ロール媒体、
Ｒ１  第１のサイズのロール媒体、Ｒ２  第２のサイズのロール媒体、Ｘ  幅方向、
Ｙ  Ｘ軸とＺ軸とに直交する方向、Ｚ  鉛直方向
【図１】
0005846361.tif 000002
【図２】
0005846361.tif 000003
【図３】
0005846361.tif 000004
【図４】
0005846361.tif 000005
【図５】
0005846361.tif 000006
【図６】
0005846361.tif 000007
【図７】
0005846361.tif 000008
【図８】
0005846361.tif 000009
【図９】
0005846361.tif 000010
【図１０】
0005846361.tif 000011
【図１１】
0005846361.tif 000012